(57)【要約】      （修正有）【課題】操作が簡便で、使用者が自ら数分で装着でき、かつ慣れたベッドで睡眠を取ることができるため、干渉が最も少なく、最も便利な睡眠測定を実現する、家庭用の睡眠品質分析装置を提供する。【解決手段】複数の電極パッド、心電測定ユニット、分析ユニットを含む。電極パッドは人体に貼付され、心電測定ユニットは電極パッドに接続され、かつ電極パッドを介して人体に対し測定を行い、心電信号を生成し、分析ユニットにより心電信号を分析して人体の睡眠品質を知ることができる。【選択図】図１
0003152829.tif 000002
【実用新案登録請求の範囲】
【請求項１】
睡眠品質分析装置であって、
人体に貼付する複数の電極パッドと、
前記電極パッドに接続され、前記電極パッドを介して人体を測定し、心電信号を生成する心電信号測定ユニットと、
前記心電信号を分析し、人体の睡眠品質を知ることができる分析ユニットと、
を含むことを特徴とする、睡眠品質分析装置。
【請求項２】
請求項１に記載の睡眠品質分析装置において、そのうち、前記分析ユニットが心肺カップリング（Ｃａｒｄｉｏｐｕｌｍｏｎａｒｙ  Ｃｏｕｐｌｉｎｇ）に基づいて前記心電信号を分析することを特徴とする、睡眠品質分析装置。
【請求項３】
請求項１に記載の睡眠品質分析装置において、そのうち、前記分析ユニットがヒルベルト−ホワン変数（Ｈｉｌｂｅｒｔ−Ｈｕａｎｇ  ｔｒａｎｓｆｏｒｍａｔｉｏｎ、ＨＨＴ）に基づいて前記心電信号を分析することを特徴とする、睡眠品質分析装置。
【請求項４】
請求項１に記載の睡眠品質分析装置において、さらに、
前記心電信号測定ユニットが測定した前記心電信号を記録する記録ユニットと、
前記心電信号を前記記録ユニットに伝送し、前記心電信号を記録させ、かつ前記心電信号を前記分析ユニットに伝送するために用いる処理ユニットと、
前記処理ユニットに接続され、前記心電信号を前記分析ユニットに伝送する伝送インターフェースと、
前記処理ユニットに接続され、前記睡眠品質、前記心電信号、時間、日付を表示する表示ユニットと、
前記心電信号測定ユニットと前記分析ユニットに電源を提供する電源ユニットと、
前記心電信号測定ユニットと前記分析ユニットを収容する筐体と、
を含むことを特徴とする、睡眠品質分析装置。
【請求項５】
請求項４に記載の睡眠品質分析装置において、前記記録ユニットがメモリカードであることを特徴とする、睡眠品質分析装置。
【請求項６】
請求項４に記載の睡眠品質分析装置において、前記伝送インターフェースがケーブル伝送インターフェース、またはワイヤレス伝送インターフェースのいずれかであることを特徴とする、睡眠品質分析装置。
【請求項７】
請求項６に記載の睡眠品質分析装置において、前記ワイヤレス伝送インターフェースが、ブルートゥース伝送インターフェース、赤外線（ＩＲ）伝送インターフェース、無線識別（ＲＦＩＤ）伝送インターフェースのいずれかであることを特徴とする、睡眠品質分析装置。
【請求項８】
請求項６に記載の睡眠品質分析装置において、前記ケーブル伝送インターフェースが、ＵＳＢ伝送インターフェース、またはＲＳ２３２伝送インターフェースのいずれかであることを特徴とする、睡眠品質分析装置。
【請求項９】
請求項４に記載の睡眠品質分析装置において、前記伝送インターフェースがインターネットであることを特徴とする、睡眠品質分析装置。
【請求項１０】
請求項４に記載の睡眠品質分析装置において、前記電源ユニットが充電電池であることを特徴とする、睡眠品質分析装置。
【請求項１１】
請求項１に記載の睡眠品質分析装置において、前記電極パッドが、導電布、導電パッド、導電性シリコンテープのいずれかであることを特徴とする、睡眠品質分析装置。
【請求項１２】
請求項４に記載の睡眠品質分析装置において、前記筐体が、前記筐体表面に設置された複数のホルダ部を含み、前記電極パッドを固定するために用いられることを特徴とする、睡眠品質分析装置。
【請求項１３】
請求項１に記載の睡眠品質分析装置において、前記分析ユニットがコンピューターであることを特徴とする、睡眠品質分析装置。
【請求項１４】
請求項１に記載の睡眠品質分析装置において、前記心電信号測定ユニットが、人体の心電信号を増幅する増幅回路と、
前記増幅回路で増幅された前記心電信号をデジタル信号に変換し、前記分析ユニットに供して分析させるアナログ−デジタル変換ユニットと、  
を含むことを特徴とする、睡眠品質分析装置。
【考案の詳細な説明】
【技術分野】
【０００１】
本考案は、分析装置に関し、特に睡眠の品質について分析する睡眠品質分析装置に関するものである。
【背景技術】
【０００２】
予防医学の概念によって、人々は定期的な健康診断を受ける習慣がすでに確立され始め、１／３の時間を占める睡眠の健康も、徐々に重視されつつある。調査によると、半分以上の人にいずれかの形態の睡眠障害が現れたことがあることが分かっている。睡眠問題に悩まされている数百万の人々に対し、多くの病院が相次いで睡眠センターを設置している。しかしながら、診療から検査の予約、検査実施、そして検査報告が出るまでには、往々にして数ヶ月という時間が必要であり、効率にこだわる現代人にとっては不満の種となっている。
【０００３】
また、人体が発生する心電信号は、人体のさまざまな健康状態に関係があるため、人体の心電信号を通して全身の機能の働きを把握することができる。このため、様々な心電信号測定装置が開発されており、人体の心電信号の検出によって人体の様々な健康状態を監視することが行われている。例えば、医療用の心電図測定装置や一般の睡眠状況を把握するための心電信号測定装置などにより、使用者は測定した心電信号から自分の身体状況を把握することができる。
【０００４】
一般的な心電信号測定装置は、主に数個の電極パッドとワイヤ、コンピュータ装置で測定を行っており、即ち、電極パッドを人体に貼付し、ワイヤで電極パッドとコンピュータ装置の間を接続して、電極パッドが検出した心電信号をコンピュータ装置に伝送し、コンピュータ装置で受信した心電信号を保存、分析、表示する。
【０００５】
しかしながら、上述の心電信号測定装置において、現在市場または医療で人体の睡眠状況を検査するために用いられている従来の心電信号測定装置は、その設計が複雑かつ大型であり、被験者は不慣れな環境（睡眠実験室）で寝なければならず、また、身体に複雑な信号ケーブルを貼付する必要があり、同時に専門技術者も終夜監視を行わなければならない。こういったことを考えると、元々睡眠障害がある被験者はなおさら眠ることが困難になる恐れがある。
【０００６】
このため、上述の問題に対し、新しい睡眠品質分析装置を提供し、上述の問題を解決する。この新しい睡眠品質分析装置は家庭用の睡眠品質分析装置とすることができ、家庭用は操作が簡便で、自ら数分で装着でき、被験者自身が慣れたベッドで睡眠を取ることができるため、干渉が最も少なく、最も便利な睡眠測定方式ということができる。
【考案の概要】
【考案が解決しようとする課題】
【０００７】
本考案の第１の目的は、分析ユニットで人体の心電信号を分析し、人体の睡眠品質を把握して睡眠品質の分析を便利に実行できる、睡眠品質分析装置を提供することにある。
【０００８】
本考案の第２の目的は、複雑なワイヤを省き、使用者がより便利に装着できる、睡眠品質分析装置を提供することにある。
【０００９】
本考案の第３の目的は、複数のホルダ部を利用して、使用者が便利に交換を行うことができる、睡眠品質分析装置を提供することにある。
【００１０】
本考案の第４の目的は、ワイヤレス検出方式で、使用者の心電信号を取得できる、睡眠品質分析装置を提供することにある。
【課題を解決するための手段】
【００１１】
本考案は睡眠品質分析装置は、複数の電極パッド、心電測定ユニット、分析ユニットを含む。前記電極パッドは人体に貼付され、前記心電測定ユニットは前記電極パッドに接続され、かつ前記電極パッドを介して人体に対し測定を行い、心電信号を生成し、前記分析ユニットにより前記心電信号を分析して人体の睡眠品質を知ることができる。
【００１２】
また、本考案はの睡眠品質分析装置はさらに、処理ユニットに接続された伝送インターフェースを含み、前記心電信号を前記分析ユニットに伝送する。そのうち、前記伝送インターフェースは、ケーブル伝送インターフェース、ワイヤレス伝送インターフェース、インターネットのいずれかとする。
【図面の簡単な説明】
【００１３】
【図１】本考案の実施例１のブロック図である。
【図２】本考案の実施例２のブロック図である。
【図３】本考案の実施例の立体図である。
【図４】本考案の別の実施例の立体図である。
【図５】図４と異なる角度の立体図である。
【考案を実施するための形態】
【００１４】
本考案の構造的特徴及び達成する効果についてさらなる理解と認識を得るため、以下、最良の実施例に図面を組み合わせて詳細に説明する。
【実施例１】
【００１５】
図１に本考案の実施例１のブロック図を示す。図１に示すように、本考案の睡眠品質分析装置は、複数の電極パッド１０、１２、心電信号測定ユニット１４、分析ユニット１６を含む。前記電極パッド１０、１２は、少なくとも２つの電極パッド１０、１２を含み、前記電極パッド１０、１２は人体の腹部や心臓部近くの皮膚に貼付して人体の心電信号を便利に検出することができ、複雑なワイヤを省いて、被験者が便利に装着できる。前記心電信号測定ユニット１４は、前記電極パッド１０、１２と接続され、前記電極パッド１０、１２を介して人体を測定し、心電信号を生成する。前記分析ユニット１６により前記心電信号を分析し、人体の睡眠品質を知ることができる。そのうち、心電信号測定ユニット１４は、増幅回路１４０とアナログ−デジタル変換回路１４２を含む。前記増幅回路１４０は、人体の心電信号を受信して、前記心電信号を増幅し、増幅後の前記心電信号を前記アナログ−デジタル変換回路１４２に伝送する。前記アナログ−デジタル変換回路１４２は、前記心電信号をデジタル信号へ変換し、前記分析ユニット１６に供して分析を行わせる。
【００１６】
上述を受け、前記分析ユニット１６は心肺カップリング（Ｃａｒｄｉｏｐｕｌｍｏｎａｒｙ  Ｃｏｕｐｌｉｎｇ）に基づいて心電信号を分析し、人体の睡眠品質を解析する。そのうち、心肺カップリングとは、心電図を基礎とした睡眠心肺カップリング分析技術であり、家庭内検査及び現在睡眠医学界が標準として使用している睡眠ポリグラフィ検査の正確性と比較して、九割の正確性が確認されており、患者により便利な睡眠検査方法を提供することができる。これに対し、睡眠ポリグラフィ検査においては、被験者が不慣れな検査環境（睡眠実験室）で寝なければならず、身体に複雑な信号ケーブルを貼付する必要があり、その上専門技術者が終夜監視を行わなければならない。これでは元々睡眠障害がある被験者はなおさら眠ることが困難になる。本考案の睡眠品質分析装置は、操作が簡便で、使用者は自ら数分で装着し、自分が慣れているベッドの上で寝ることができ、翌日、装置からデータをダウンロードして分析すれば初歩的な結果が得られる。これは、干渉が最も少なく、最も便利な睡眠検査方法であると言える。上述に基づき、本考案の睡眠品質分析装置は、従来の心電図を基礎として、睡眠心肺カップリングの複雑なコンピュータ演算分析を運用し、被験者自身が感じる睡眠評価を組み合わせたものであり、この睡眠心肺機能検査は、客観的な睡眠の安定度を提示し、終夜の不安定な睡眠の分布を理解でき、かつ睡眠の隠れた問題である睡眠時無呼吸症候群が存在するか否かをスクリーニングすることができる。
【００１７】
また、分析ユニット１６は、ヒルベルト−ホワン変換（Ｈｉｌｂｅｒｔ−Ｈｕａｎｇ  ｔｒａｎｓｆｏｒｍａｔｉｏｎ、ＨＨＴ）に基づき心電信号を分析し、人体の睡眠品質を知ることができる。そのうち、前記分析ユニット１６はコンピュータである。
【００１８】
図１に示すように、本考案の睡眠品質分析装置はさらに、処理ユニット１８、記録ユニット２０、伝送インターフェース２２、表示ユニット２４、電源ユニット２６を含む。前記処理ユニット１８は、心電信号の処理と伝送に用いられ、前記記録ユニット２０は前記心電信号測定ユニット１４が測定した心電信号の記録に用いられる。即ち、前記記録ユニット２０は、被験者の睡眠時の心電信号の記録に用いることができ、被験者が目を覚ましたとき、前記記録ユニット２０が保存した心電信号を前記分析ユニット１６に伝送し、心電信号の分析を行うことができる。そのうち、前記記録ユニット２０はメモリカードとすることができる。前記伝送インターフェース２２は、心電信号を分析ユニット１６に伝送するために用いられ、前記分析ユニット１６に心電信号を分析させる。そのうち、前記伝送インターフェース２２はケーブル伝送インターフェース、またはワイヤレス伝送インターフェースとする。ケーブル伝送インターフェースは、ＵＳＢ伝送インターフェース、またはＲＳ２３２伝送インターフェースとする。ワイヤレス伝送インターフェースは、ブルートゥース伝送インターフェース、または赤外線（ＩＲ）伝送インターフェース、或いは無線識別（ＲＦＩＤ）伝送インターフェースとする。そのうち、前記伝送インターフェース２２はインターネットとすることもできる。これにより、本考案の分析ユニット１６は、ケーブル伝送やワイヤレス伝送の検出方式を介して使用者の心電信号を取得することができる。
【００１９】
前記表示ユニット２４は、処理ユニット１８に接続され、睡眠品質、心電信号、時間、日付を表示するために用いられる。前記電源ユニット２６は、前記心電信号測定ユニット１４と前記処理ユニット１８、前記記録ユニット２０、前記伝送インターフェース２２、前記表示ユニット２４に電源を提供するために用いられる。そのうち、前記電源ユニット２６は、例えばリチウム電池や太陽電池など、充電電池とすることができる。
【実施例２】
【００２０】
図２に本考案の実施例２のブロック図を示す。この図に示すように、実施例２と図１の実施例１との差異は、実施例２の分析ユニット１６は睡眠品質分析装置に内蔵され、かつ被験者の睡眠品質分析結果を前記表示ユニット２４に伝送することができ、前記表示ユニット２４は被験者の睡眠品質分析結果に対し、赤、黄、青の色を評価の説明として用い、睡眠品質を赤、黄、青で一目瞭然に示すことができる。この睡眠心肺機能測定は、標準の睡眠ポリグラフィ検査に代替することはできないが、家庭で便利かつ迅速に使用できるという特性は、多くの睡眠障害を持つ人々に役立ち、予防保健、早期介入を達成することができる。このように、本考案の睡眠品質分析装置は、内蔵の分析ユニット１６によって被験者の使用上の利便性を向上することができる。
【００２１】
図３に本考案の最良の実施例の立体図を示す。この図に示すように、本考案の睡眠品質分析装置は、筐体３０と複数のホルダ部３２を含み、前記筐体３０に前記心電信号測定ユニット１４、前記分析ユニット１６、前記処理ユニット１８、前記記録ユニット２０、前記伝送インターフェース２２、前記電源ユニット２６が収容される。前記ホルダ部３２は前記筐体３０の表面に設置され、前記電極パッドを固定するために用いられる。そのうち、前記電極パッドに汚れの付着や破損が生じたとき、使用者はその汚れが付着した、または破損した電極パッドを取り外して洗ったり、新しい電極パッドに交換したりすることができる。
【００２２】
図４と図５に本考案の別の最良の実施例の立体図と、異なる角度の立体図を示す。これらの図に示すように、本実施例と図３の実施例の差異は、本実施例の筐体４０は楕円形である点で、使用者の必要に応じて、円形や楕円形の筐体を使用することができる。また、本実施例の筐体４０は、表示ユニット２４、スイッチ４２、複数のホルダ部４４を含み、前記表示ユニット２４と前記スイッチ４２は、共に前記筐体４０の上表面に設置され、使用者は前記スイッチ４２により測定を開始し、かつ前記表示ユニット２４に睡眠品質、心電信号、時間、日付が表示される。前記ホルダ部４４は、前記筐体４０の下表面に設置され、前記電極パッドを固定するために用いられる。上述の筐体の形状とホルダ部の数は、単に１つの最良の実施例であり、上述の筐体の形状とホルダ部の数に限定されず、使用者の必要に応じて測定を便利に行うことができるよう、異なる筐体の形状とホルダ部の数を設計することができる。
【００２３】
上述をまとめると、本考案の睡眠品質分析装置は、複数の電極パッドを人体に貼付し、心電信号測定ユニットを前記電極パッドに接続して、前記電極パッドにより人体を測定して心電信号を生成し、分析ユニットで心電信号を分析して、人体の睡眠品質を知ることができる。
【００２４】
本考案は、新規性、進歩性、そして産業上の利用可能性を備えており、実用新案登録の出願要件を満たしているため、法に基づきここに出願を提出するものである。
【００２５】
以上は本考案の最良の実施例であり、本考案の実施範囲を限定するためのものではなく、本考案の実用新案登録請求の範囲に記載された形状や構造、特徴、要旨に基づく同等の変化や修飾はすべて本考案の実用新案登録請求の範囲に含まれるものとみなす。
【符号の説明】
【００２６】
１０    電極パッド
１２    電極パッド
１４    心電信号測定ユニット
１６    分析ユニット
１８    処理ユニット
２０    記録ユニット
２２    伝送インターフェース
２４    表示ユニット
２６    電源ユニット
３０    筐体
３２    ホルダ部
４０    筐体
４２    スイッチ
４４    ホルダ部
１４０    増幅回路
１４２    アナログ−デジタル変換回路
【図１】
0003152829.tif 000003
【図２】
0003152829.tif 000004
【図３】
0003152829.tif 000005
【図４】
0003152829.tif 000006
【図５】
0003152829.tif 000007